(57)【要約】【課題】給水加熱器内で沸騰し蒸発した蒸気がケーシングの肉厚内に構成された蒸気通路に逆流した場合に、蒸気通路おける蒸気の偏流を抑制することができるとともに、静翼や動翼に作用する流体力の変動を抑制することができる低圧蒸気タービンを提供する。【解決手段】低圧蒸気タービン１２は、ケーシング２０と、ケーシング２０内に貫設された、動翼２１が植設されたタービンロータ２２と、ケーシング２０に配設された静翼２３と、静翼２３と動翼２１とを備える蒸気流路に蒸気を導入する蒸気入口管と、外部に導く排気流路とを備える。また、ケーシング２０の肉厚内には、抽気した蒸気を抽気管１６に導く抽気流路３１が形成されている。また、抽気管１６の、抽気流路３１に連通する部分の近傍には、蒸気が流れる流路の断面積を減少させて蒸気の流れを絞る流路絞り部材５０が備えられている。【選択図】図３
2011001894.tif 000002
【特許請求の範囲】
【請求項１】
抽気された蒸気を外部に設けられた給水加熱器に導く抽気管を備えた低圧蒸気タービンであって、
ケーシングと、
前記ケーシング内に貫設され、複数段の動翼が植設されたタービンロータと、
前記ケーシングに、前記タービンロータの軸方向に前記動翼と交互に配設された複数段の静翼と、
前記ケーシングを貫通し、前記静翼と前記動翼とから構成される複数の段落を有する蒸気流路に、外部からの蒸気を導入する蒸気入口管と、
膨張仕事をしながら前記蒸気流路を流動し、最終段の動翼を通過した蒸気を前記ケーシング内から外部に導く排気流路と、
前記蒸気流路の外周側の壁部を構成する前記ケーシングの肉厚内に周方向に亘って形成され、所定の前記段落間から前記蒸気流路を流れる蒸気の一部を抽気するための抽気口を有し、抽気した蒸気を前記抽気管に導く抽気流路と、
前記抽気流路を周方向に複数の領域に区分するように、前記抽気流路の内周面に、前記タービンロータの軸方向に沿って一方の側面が接合されて設けられ、前記一方の側面と対向する他方の側面側が前記抽気流路内に突出する補強部材と、
前記抽気流路または前記抽気管の所定の位置に設けられ、蒸気が流れる流路の断面積を減少させて蒸気の流れを絞る流路絞り部材と
を具備することを特徴とする低圧蒸気タービン。
【請求項２】
前記流路絞り部材が、前記抽気流路側の前記抽気管の内周面に設けられたリング状部材で構成されていることを具備することを特徴とする請求項１記載の低圧蒸気タービン。
【請求項３】
前記流路絞り部材が、前記抽気流路と前記抽気管における流路との境界部またはその近傍に、前記タービンロータの軸方向に沿って設けられた、前縁および後縁を有する流線形状の翼型部材で構成されていることを具備することを特徴とする請求項１記載の低圧蒸気タービン。
【請求項４】
前記流路絞り部材が、前記抽気口近傍の前記抽気流路の周方向に亘って所定の間隙をあけて設けられた２つのリング状部材で構成されていることを具備することを特徴とする請求項１記載の低圧蒸気タービン。
【請求項５】
抽気された蒸気を外部に設けられた給水加熱器に導く抽気管を備えた低圧蒸気タービンであって、
ケーシングと、
前記ケーシング内に貫設され、複数段の動翼が植設されたタービンロータと、
前記ケーシングに、前記タービンロータの軸方向に前記動翼と交互に配設された複数段の静翼と、
前記ケーシングを貫通し、前記静翼と前記動翼とから構成される複数の段落を有する蒸気流路に、外部からの蒸気を導入する蒸気入口管と、
膨張仕事をしながら前記蒸気流路を流動し、最終段の動翼を通過した蒸気を前記ケーシング内から外部に導く排気流路と、
前記蒸気流路の外周側の壁部を構成する前記ケーシングの肉厚内に周方向に亘って形成され、所定の前記段落間から前記蒸気流路を流れる蒸気の一部を抽気するための抽気口を有し、抽気した蒸気を前記抽気管に導く抽気流路と、
前記抽気流路を周方向に複数の領域に区分するように、前記抽気流路の内周面に、前記タービンロータの軸方向に沿って一方の側面が接合されて設けられ、前記一方の側面と対向する他方の側面側が前記抽気流路内に突出し、前記一方の側面および前記他方の側面の少なくともいずれか一方が曲面形状を有する補強部材と
を具備することを特徴とする低圧蒸気タービン。
【請求項６】
少なくとも前記補強部材の他方の側面側が、前記抽気流路と前記抽気管における流路との境界部の方向に傾くように、前記補強部材を傾斜または湾曲させて設置していることを特徴とする請求項１乃至５のいずれか１項記載の低圧蒸気タービン。
【発明の詳細な説明】
【技術分野】
【０００１】
本発明は、低圧蒸気タービンに係り、特に、給水加熱器からのフラッシュバックの影響を抑制することができる低圧蒸気タービンに関する。
【背景技術】
【０００２】
発電プラントの蒸気タービンシステムでは、生成された蒸気は、高圧タービンから低圧タービンを通過しながら熱エネルギを回転エネルギに変換し、復水器で水の状態となった後に再び給水ラインに送られる。給水ラインには、例えば、数段の低圧給水加熱器と高圧給水加熱器が設けられている。これらの低圧給水加熱器や高圧給水加熱器を通過する給水は、蒸気タービンのタービン通路部から抽気された高温の蒸気によって加熱される。
【０００３】
次に、従来の低圧タービン３００における抽気をするための構成について説明する。図１３は、従来の低圧タービン３００における、タービンロータ３１２の軸方向に沿う蒸気通路の断面の一部を示した図である。図１４は、従来の低圧タービン３００のタービンロータ３１２の軸方向に垂直な断面を示した図である。なお、図１４では、蒸気通路の構成、すなわち、動翼、静翼、タービンロータなどの構成の図示を省略し、主として、ケーシング３１０内における抽気された蒸気が流れる通路について示している。また、図１４では、給水加熱器（図示しない）から抽気流路３２１内に逆流した蒸気の流れを矢印で示している。図１５は、給水加熱器内の水が沸騰して発生した蒸気が抽気管３２３を通って抽気口３２０から蒸気通路３１４内に逆流（いわゆるフラッシュバック）する際における周方向の速度分布を示した図である。なお、図１５の横軸は、後述する補強リブ３２２の周方向における位置を示す周方向角度（図１４に０°、１８０°を併記）であり、０°から１８０°までの、左回り（反時計回り）を正の角度で、右回り（時計回り）を負の角度で示している。
【０００４】
図１３に示すように、低圧タービン３００において、ケーシング３１０内に動翼３１１が植設されたタービンロータ３１２が貫設されている。また、ケーシング３１０の内側面には、タービンロータ３１２の軸方向に動翼３１１と交互になるように静翼３１３が配設されている。そして、静翼３１３からなる周方向の翼列と、この翼列の直下流側に位置する、動翼３１１からなる周方向の翼列とで、一つの段落を構成している。また、段落は、タービンロータ３１２の軸方向に複数段形成され、蒸気通路３１４を構成している。また、静翼３１３を支持するタービンロータ３１２側のダイヤフラム３１５には、シール部３１６が構成されている。
【０００５】
また、図示しないが、最終段落を通過した蒸気は、排気通路を介して真空度の高い復水器に導かれる。そのため、蒸気通路３１４を流れる蒸気は、排気通路側（出口側）に向かって膨張する。そこで、蒸気通路３１４の断面積が下流に行くに伴い徐々に拡大するように構成されている。
【０００６】
また、所定の段落間には、蒸気通路３１４を流れる蒸気の一部を抽気するために、蒸気通路３１４を構成する外周側の側壁に、周方向に亘ってスリット状の抽気口３２０が設けられている。また、この抽気口３２０に連通するように、ケーシング３１０の肉厚内には、抽気流路３２１が周方向に亘って形成されている。なお、図１４に示すように、抽気流路３２１内には、ケーシング３１０の機械的強度を維持し、ケーシング３１０を分割する際に必要な複数の補強リブ３２２が周方向に設けられている。また、図１４に示すように、抽気流路３２１の端部には、抽気された蒸気を給水加熱器に導くための抽気管３２３が設けられている。
【０００７】
このように構成された従来の低圧タービン３００において、通常運転時には抽気口３２０における圧力は、給水加熱器内の圧力より高いため、蒸気通路３１４から、抽気口３２０、抽気流路３２１、抽気管３２３を介して給水加熱器に向かう蒸気の流れが生じる。
【０００８】
一方、負荷遮断時などの、蒸気通路３１４を流れる蒸気流量が低下するときには、段落での負荷が小さくなり、抽気口３２０の圧力は復水器に近い負圧となる。そのため、抽気口３２０の圧力が、給水加熱器内の圧力より低くなり、給水加熱器内の水が沸騰して蒸発する。そして、その蒸発した蒸気が抽気管３２３を通って抽気口３２０から蒸気通路３１４内に逆流することがある。その際、上記した補強リブ３２２の近傍では、逆流した蒸気の流速が秒速数百メートル程度になることがあり、図１４に示すように、大規模な流れの剥離３２４が生じる。
【０００９】
このように流れが剥離することによって、周方向に設けられた補強リブ３２２間における流れは偏流し、蒸気の周方向の流速分布がばらつく。そのため、抽気口３２０から蒸気通路３１４内に逆流する蒸気は、図１５に示すように、周方向に分布を有し、周方向に亘って不均一となる。蒸気通路３１４内に逆流する蒸気がこのような分布を有することは、抽気口３２０に近接する段落の動翼３１１に作用する流体力を変動させる原因となることがある。
【００１０】
このような低圧蒸気タービンの低負荷時における蒸気の逆流現象に対応するために、低い回転速度を維持するように、蒸気流量調節弁によって、低圧蒸気タービンに供給する蒸気量を調節する技術が開示されている（例えば、特許文献１参照。）。
【先行技術文献】
【特許文献】
【００１１】
【特許文献１】特開２００８−７５５８０号公報
【発明の概要】
【発明が解決しようとする課題】
【００１２】
上述したような従来の低圧蒸気タービンにおいて、低い回転速度を維持するように、蒸気流量調節弁によって、低圧蒸気タービンに供給する蒸気量を調節するなどの制御を行わなければならず、制御が複雑化する。また、前述したように、給水加熱器内で沸騰し蒸発した蒸気が蒸気通路内に逆流した場合、補強リブの近傍で大規模な流れの剥離３２４が生じ、圧力損失が増大する。流れの剥離の規模は、蒸気通路の形状や補強リブの形状などに依存する。しかし、従来の低圧蒸気タービンにおける補強リブなどの形状は、蒸気通路の分割構造やケーシングの機械的強度の観点から決定されており、流体力学的に流れの剥離などを考慮して決定されるものではなかった。
【００１３】
そこで、本発明は、上記問題を解決するためになされたものであり、給水加熱器内で沸騰し蒸発した蒸気がケーシングの肉厚内に構成された蒸気通路に逆流した場合に、蒸気通路おける蒸気の偏流を抑制することができるとともに、静翼や動翼に作用する流体力の変動を抑制することができる低圧蒸気タービンを提供することを目的とする。
【課題を解決するための手段】
【００１４】
上記目的を達成するために、本発明の一態様によれば、抽気された蒸気を外部に設けられた給水加熱器に導く抽気管を備えた低圧蒸気タービンであって、ケーシングと、前記ケーシング内に貫設され、複数段の動翼が植設されたタービンロータと、前記ケーシングに、前記タービンロータの軸方向に前記動翼と交互に配設された複数段の静翼と、前記ケーシングを貫通し、前記静翼と前記動翼とから構成される複数の段落を有する蒸気流路に、外部からの蒸気を導入する蒸気入口管と、膨張仕事をしながら前記蒸気流路を流動し、最終段の動翼を通過した蒸気を前記ケーシング内から外部に導く排気流路と、前記蒸気流路の外周側の壁部を構成する前記ケーシングの肉厚内に周方向に亘って形成され、所定の前記段落間から前記蒸気流路を流れる蒸気の一部を抽気するための抽気口を有し、抽気した蒸気を前記抽気管に導く抽気流路と、前記抽気流路を周方向に複数の領域に区分するように、前記抽気流路の内周面に、前記タービンロータの軸方向に沿って一方の側面が接合されて設けられ、前記一方の側面と対向する他方の側面側が前記抽気流路内に突出する補強部材と、前記抽気流路または前記抽気管の所定の位置に設けられ、蒸気が流れる流路の断面積を減少させて蒸気の流れを絞る流路絞り部材とを具備することを特徴とする低圧蒸気タービンが提供される。
【００１５】
また、本発明の一態様によれば、抽気された蒸気を外部に設けられた給水加熱器に導く抽気管を備えた低圧蒸気タービンであって、ケーシングと、前記ケーシング内に貫設され、複数段の動翼が植設されたタービンロータと、前記ケーシングに、前記タービンロータの軸方向に前記動翼と交互に配設された複数段の静翼と、前記ケーシングを貫通し、前記静翼と前記動翼とから構成される複数の段落を有する蒸気流路に、外部からの蒸気を導入する蒸気入口管と、膨張仕事をしながら前記蒸気流路を流動し、最終段の動翼を通過した蒸気を前記ケーシング内から外部に導く排気流路と、前記蒸気流路の外周側の壁部を構成する前記ケーシングの肉厚内に周方向に亘って形成され、所定の前記段落間から前記蒸気流路を流れる蒸気の一部を抽気するための抽気口を有し、抽気した蒸気を前記抽気管に導く抽気流路と、前記抽気流路を周方向に複数の領域に区分するように、前記抽気流路の内周面に、前記タービンロータの軸方向に沿って一方の側面が接合されて設けられ、前記一方の側面と対向する他方の側面側が前記抽気流路内に突出し、前記一方の側面および前記他方の側面の少なくともいずれか一方が曲面形状を有する補強部材とを具備することを特徴とする低圧蒸気タービンが提供される。
【発明の効果】
【００１６】
本発明の低圧蒸気タービンによれば、給水加熱器内で沸騰し蒸発した蒸気がケーシングの肉厚内に構成された蒸気通路に逆流した場合に、蒸気通路おける蒸気の偏流を抑制することができるとともに、静翼や動翼に作用する流体力の変動を抑制することができる。
【図面の簡単な説明】
【００１７】
【図１】第１の実施の形態の低圧蒸気タービンを備える蒸気タービンシステムの一例を示す図である。
【図２】第１の実施の形態の低圧蒸気タービンにおける、タービンロータの軸方向に沿う蒸気通路の断面の一部を示した図である。
【図３】第１の実施の形態の低圧蒸気タービンのタービンロータの軸方向に垂直な断面を示した図である。
【図４】抽気管に他の構成のリング状部材を備えた、第１の実施の形態の低圧蒸気タービンのタービンロータの軸方向に垂直な断面を示した図である。
【図５】抽気管に他の構成の流路絞り部材を備えた、第１の実施の形態の低圧蒸気タービンのタービンロータの軸方向に垂直な断面を示した図である。
【図６】第２の実施の形態の低圧蒸気タービンにおける、タービンロータの軸方向に沿う蒸気通路の断面の一部を示した図である。
【図７】第２の実施の形態の低圧蒸気タービンのタービンロータの軸方向に垂直な断面を示した図である。
【図８】第３の実施の形態の低圧蒸気タービンのタービンロータの軸方向に垂直な断面を示した図である。
【図９】第４の実施の形態の低圧蒸気タービンのタービンロータの軸方向に垂直な断面を示した図である。
【図１０】一方の側面および他方の側面の双方を曲面形状に形成された補強リブを備える、第４の実施の形態の低圧蒸気タービンのタービンロータの軸方向に垂直な断面を示した図である。
【図１１】図１０に示した第４の実施の形態の低圧蒸気タービンにおいて、補強リブの数を８個としたときの、タービンロータの軸方向に垂直な断面を示した図である。
【図１２】補強リブの他の配置構成を有する他の実施の形態の低圧蒸気タービンのタービンロータの軸方向に垂直な断面を示した図である。
【図１３】従来の低圧タービンにおける、タービンロータの軸方向に沿う蒸気通路の断面の一部を示した図である。
【図１４】従来の低圧タービンのタービンロータの軸方向に垂直な断面を示した図である。
【図１５】給水加熱器内の水が沸騰して発生した蒸気が抽気管を通って抽気口から蒸気通路内に逆流する際における周方向の速度分布を示した図である。
【発明を実施するための形態】
【００１８】
以下、本発明の一実施の形態を図を参照して説明する。
【００１９】
（第１の実施の形態）
図１は、第１の実施の形態の低圧蒸気タービン１２を備える蒸気タービンシステム１の一例を示す図である。図２は、第１の実施の形態の低圧蒸気タービン１２における、タービンロータ２２の軸方向に沿う蒸気通路２４の断面の一部を示した図である。図３は、第１の実施の形態の低圧蒸気タービン１２のタービンロータ２２の軸方向に垂直な断面を示した図である。なお、図３では、蒸気通路の構成、すなわち、動翼２１、静翼２３、タービンロータ２２などの構成の図示を省略し、主として、ケーシング２０内における抽気された蒸気が流れる通路について示している。また、図３では、給水加熱器１５から抽気流路３１内に逆流した蒸気の流れを矢印で示している。
【００２０】
図１に示すように、蒸気タービンシステム１は、蒸気発生部１０、高圧蒸気タービン１１、低圧蒸気タービン１２、復水器１３、復水ポンプ１４、給水加熱器１５、発電機１７を主要部として構成されている。なお、この蒸気タービンシステム１の構成は、これに限られるものではなく、例えば、複数の低圧蒸気タービン１２を備える蒸気タービンシステムであってもよい。
【００２１】
ここで、蒸気発生部１０は、蒸気を発生させるものであり、例えば、原子炉の炉心で発生した熱によって蒸気を生成するものである。具体的には、蒸気発生部１０は、例えば、沸騰水型原子炉（ＢＷＲ）では原子炉を意味し、加圧水型原子炉（ＰＷＲ）では蒸気発生器を意味する。
【００２２】
図１に示すように、蒸気発生部１０で発生した高温高圧の蒸気は、高圧蒸気タービン１１に導入され、膨張仕事をした後、湿分分離器（図示しない）を通り、低圧蒸気タービン１２に導入される。ここで、図示しないが、例えば、蒸気発生部１０と高圧蒸気タービン１１との間や高圧蒸気タービン１１と低圧蒸気タービン１２との間には、蒸気流量を調整する蒸気流量調整弁などが備えられている。
【００２３】
なお、ここでは、湿分分離器を通り、水滴が除去された蒸気を直ちに低圧蒸気タービン１２に導入する方式を示しているが、この方式に限られるものではない。例えば、湿分分離器を通り、水滴が除去された蒸気を、例えば、高圧蒸気タービン１１に導入される蒸気の一部や、高圧蒸気タービン１１から抽気された蒸気を利用して加熱器により加熱する蒸気再熱方式を採用してもよい。
【００２４】
低圧蒸気タービン１２で膨張仕事をした蒸気は、復水器１３で凝縮されて水（給水）となった後、復水ポンプ１４で給水加熱器１５に送り込まれる。給水加熱器１５には、抽気管１６を介して低圧蒸気タービン１２から抽気された蒸気が導入され、この抽気された蒸気によって、給水加熱器１５を流れる給水は加熱される。給水加熱器１５で加熱された給水は、蒸気発生部１０に導かれ、再度加熱されて高温高圧の蒸気となり、高圧蒸気タービン１１に導入される。また、低圧蒸気タービン１２のタービンロータの回転を利用して、発電機１７を回転させ電力を発生する。
【００２５】
次に、第１の実施の形態の低圧蒸気タービン１２について説明する。
【００２６】
図２に示すように、低圧蒸気タービン１２は、ケーシング２０を備え、ケーシング２０内に動翼２１が植設されたタービンロータ２２が貫設されている。また、ケーシング２０の内側面には、タービンロータ２２の軸方向に動翼２１と交互になるように静翼２３が配設されている。そして、静翼２３からなる周方向の翼列と、この翼列の直下流側に位置する、動翼２１からなる周方向の翼列とで、一つの段落を構成している。また、段落は、タービンロータ２２の軸方向に複数段形成され、蒸気通路２４を構成している。また、静翼２３を支持するタービンロータ２２側のダイヤフラム２５には、シール部２６が構成されている。また、低圧蒸気タービン１２は、蒸気通路２４を通り最終段落を通過した蒸気をケーシング２０内から外部に導く排気通路（図示しない）を備えている。
【００２７】
この低圧蒸気タービン１２において、蒸気入口管（図示しない）を経て、蒸気通路２４内に流入した蒸気は、各段落の静翼２３と動翼２１との間を通り、タービンロータ２２を回転させる。蒸気通路２４を通り最終段落を通過した蒸気は、排気通路を介して真空度の高い復水器１３に導かれる。そのため、蒸気通路２４を流れる蒸気は、排気通路側（出口側）に向かって膨張する。そこで、蒸気通路２４の断面積が下流に行くに伴い徐々に拡大するように構成されている。
【００２８】
また、所定の段落間には、蒸気通路２４を流れる蒸気の一部を抽気するために、蒸気通路２４を構成する外周側の側壁となるケーシング２０の内壁に、周方向に亘ってスリット状の抽気口３０が設けられている。また、ケーシング２０の肉厚内には、この抽気口３０を介して抽気された、蒸気通路２４を流れる蒸気の一部を流動させるための抽気流路３１が形成されている。
【００２９】
この抽気流路３１には、抽気流路３１を周方向に複数の領域に区分するように、補強部材として機能する複数の補強リブ４０が設けられている。これらの補強リブ４０は、抽気流路３１の、タービンロータ２２の軸方向の幅に対応する長さを有する柱体状の部材で構成されている。そして、補強リブ４０の一方の側面４０ａは、抽気流路３１の内周面に、タービンロータ２２の軸方向に沿って接合されている。そのため、補強リブ４０の一方の側面４０ａと対向する他方の側面４０ｂ側は、抽気流路３１内に突出する。このように、補強リブ４０を設けることで、抽気流路３１が周方向に複数に区分される。なお、補強リブ４０の他方の側面４０ｂと、抽気流路３１の外周面との間には、蒸気が流れるための隙間を有している。また、ここでは、最上部の補強リブ４０と抽気流路３１の外周面との間には、蒸気が流れるための隙間を設けていないが、隙間を設けるように構成してもよい。
【００３０】
このように構成された補強リブ４０は、抽気流路３１を周方向に複数に区分するとともに、ケーシング２０の機械的強度を維持している。また、これらの補強リブ４０のなかには、ケーシング２０を分割する際に必要な補強リブ４０（図３では、例えば蒸気通路２４を上下に２等分する線上に位置する、周方向の長さが他の補強リブよりも長い補強リブ）も備えている。
【００３１】
また、抽気流路３１の端部には、図３に示すように、抽気された蒸気を給水加熱器１５に導くための抽気管１６が設けられている。この抽気管１６の、抽気流路３１に連通する部分の近傍には、蒸気が流れる流路の断面積を減少させて蒸気の流れを絞る流路絞り部材５０が備えられている。この流路絞り部材５０は、抽気管１６の内周に亘って設けられたリング状部材５１で構成され、いわゆるオリフィス形状を構成している。リング状部材５１の外周端は、抽気管１６の内周面に接合されている。このリング状部材５１は、例えば、抽気管１６を構成する材料と同様の材料などで構成される。
【００３２】
次に、抽気管１６および抽気流路３１における蒸気の流れについて説明する。
【００３３】
まず、通常運転時における抽気流路３１における蒸気の流れについて説明する。
低圧蒸気タービン１２の通常運転時には、抽気口３０における圧力は、給水加熱器１５内の圧力より高いため、蒸気通路２４から抽気流路３１、抽気管１６を介して給水加熱器１５に向かう蒸気の流れが生じる。すなわち、抽気口３０から蒸気通路２４を流れる蒸気の一部が抽気され、抽気流路３１、抽気管１６を介して給水加熱器１５に供給される。
【００３４】
一方、低圧蒸気タービン１２において、負荷遮断時などの、蒸気通路２４を流れる蒸気流量が低下するときには、段落での負荷が小さくなり、抽気口３０の圧力は復水器１３に近い負圧となる。そのため、抽気口３０の圧力が、給水加熱器１５内の圧力より低くなり、給水加熱器１５内の水が沸騰して蒸発する。そして、その蒸発した蒸気が抽気管１６を抽気流路３１に向かって逆流する。
【００３５】
このように、給水加熱器１５から蒸気が逆流する際、この逆流は、過渡的な流れとなる。ここで、過渡的な流れとは、逆流する蒸気の流量が、時間とともに急激に増加してピークに達し、その後急激に減少する流れをいう。
【００３６】
この過渡的な流れである逆流する蒸気は、抽気管１６に設けられたリング状部材５１の中央の開口部を通過して抽気流路３１内に流入する。ここで、蒸気の流量が最大となるときの逆流する蒸気が、急縮流と急拡大を伴うリング状部材５１の中央の開口部を通過するときには、流れがチョーキング状態となる。これによって、リング状部材５１を通過する逆流する蒸気の流量の増加が抑制される。また、流れがチョーキング状態とならない場合であっても、リング状部材５１を備えることで、圧力損失が増加し、抽気流路３１内に流入する逆流する蒸気の流量の増加が抑制される。
【００３７】
リング状部材５１を通過した逆流する蒸気は、上記したように蒸気の流量が抑制されるため、抽気流路３１における流速が減少し、補強リブ４０における流れの剥離が抑制される。これにより、補強リブ４０間の流れの偏流が抑制される。
【００３８】
そして、逆流する蒸気は、抽気口３０から蒸気通路２４に流出する。この蒸気通路２４に流出する逆流する蒸気は、抽気流路３１において補強リブ４０間の流れの偏流が抑制されるため、周方向の速度分布が均一化されている。そのため、抽気口３０近傍に位置する静翼２３や動翼２１に作用する流体力の変動が抑制される。
【００３９】
上記したように、第１の実施の形態の低圧蒸気タービン１２では、抽気管１６に流路絞り部材５０としてリング状部材５１を設けることで、給水加熱器１５から蒸気が逆流する際、抽気流路３１内に流入する逆流する蒸気の流量の増加を抑制することができる。特に、逆流する蒸気の流量が最大となるときにおける、抽気流路３１内に流入する逆流する蒸気の流量の増加を効果的に抑制することができる。
【００４０】
これによって、抽気流路３１における逆流する蒸気の流速が減少し、補強リブ４０における流れの剥離が抑制される。そのため、補強リブ４０間の流れの偏流が抑制され、抽気口３０から蒸気通路２４に流出する逆流する蒸気の周方向の速度分布を均一化することができる。その結果として、抽気口３０近傍に位置する静翼２３や動翼２１に作用する流体力の変動を抑制することができる。
【００４１】
ここで、流路絞り部材５０として機能するリング状部材５１の形状は、上記した形状に限られるものではない。図４は、抽気管１６に他の構成のリング状部材５２を備えた、第１の実施の形態の低圧蒸気タービン１２のタービンロータ２２の軸方向に垂直な断面を示した図である。なお、図４では、蒸気通路の構成、すなわち、動翼２１、静翼２３、タービンロータ２２などの構成の図示を省略し、主として、ケーシング２０内における抽気された蒸気が流れる通路について示している。また、図４では、給水加熱器１５から抽気流路３１内に逆流した蒸気の流れを矢印で示している。
【００４２】
図４に示すように、流路絞り部材５０として機能するリング状部材５２として、ベルマウス形状の流路縮流部５２ａとディフューザ部５２ｂとが接続された形状を有するリング状部材を備えてもよい。ここで、リング状部材５２は、ベルマウス形状の流路縮流部５２ａが抽気流路３１側、ディフューザ部５２ｂが給水加熱器１５側となるように設置されている。このリング状部材５２は、例えば、抽気管１６を構成する材料と同様の材料などで構成される。
【００４３】
このリング状部材５２を備えた場合、通常運転時における、抽気流路３１から給水加熱器１５に向かう抽気された蒸気は、入口における圧力損失の小さい流路縮流部５２ａで縮流され、ディフューザ部５２ｂで静圧を回復しながらディフューザ部５２ｂを通過する。これによって、抽気された蒸気は、圧力損失の増加が抑制されながら、リング状部材５２を通過し、給水加熱器１５に導かれる。
【００４４】
一方、過渡的な流れである給水加熱器１５からの逆流する蒸気は、抽気管１６に設けられたリング状部材５２の中央の開口部を通過して抽気流路３１内に流入する。ここで、蒸気の流量が最大となるときの逆流する蒸気が、リング状部材５２の中央の開口部を通過するときには、流れがチョーキング状態となる。これによって、リング状部材５２を通過する逆流する蒸気の流量の増加が抑制される。また、流れがチョーキング状態とならない場合であっても、リング状部材５２を備えることで、圧力損失が増加し、抽気流路３１内に流入する逆流する蒸気の流量の増加が抑制される。
【００４５】
リング状部材５２を通過した逆流する蒸気は、上記したように蒸気の流量が抑制されるため、抽気流路３１における流速が減少し、補強リブ４０における流れの剥離が抑制される。これにより、補強リブ４０間の流れの偏流が抑制される。
【００４６】
そして、逆流する蒸気は、抽気口３０から蒸気通路２４に流出する。この蒸気通路２４に流出する逆流する蒸気は、抽気流路３１において補強リブ４０間の流れの偏流が抑制されるため、周方向の速度分布が均一化されている。そのため、抽気口３０近傍に位置する静翼２３や動翼２１に作用する流体力の変動が抑制される。
【００４７】
このように、ベルマウス形状の流路縮流部５２ａとディフューザ部５２ｂとが接続された形状を有するリング状部材５２を備えることで、通常運転時における、抽気流路３１から給水加熱器１５に向かう抽気された蒸気を、圧力損失の増加を抑制しながら、絞り部であるリング状部材５２が備えられた通路を通過させることができる。
【００４８】
一方、リング状部材５２を備えることで、給水加熱器１５から蒸気が逆流する際、抽気流路３１内に流入する逆流する蒸気の流量の増加を抑制することができる。特に、逆流する蒸気の流量が最大となるときにおける、抽気流路３１内に流入する逆流する蒸気の流量の増加を効果的に抑制することができる。
【００４９】
これによって、抽気流路３１における逆流する蒸気の流速が減少し、補強リブ４０における流れの剥離が抑制される。そのため、補強リブ４０間の流れの偏流が抑制され、抽気口３０から蒸気通路２４に流出する逆流する蒸気の周方向の速度分布を均一化することができる。その結果として、抽気口３０近傍に位置する静翼２３や動翼２１に作用する流体力の変動を抑制することができる。
【００５０】
また、流路絞り部材５０は、さらに他の構成とすることもできる。図５は、抽気管１６に他の構成の流路絞り部材５０を備えた、第１の実施の形態の低圧蒸気タービン１２のタービンロータ２２の軸方向に垂直な断面を示した図である。なお、図５では、蒸気通路の構成、すなわち、動翼２１、静翼２３、タービンロータ２２などの構成の図示を省略し、主として、ケーシング２０内における抽気された蒸気が流れる通路について示している。また、図５では、給水加熱器１５から抽気流路３１内に逆流した蒸気の流れを矢印で示している。
【００５１】
図５に示すように、流路絞り部材５０として、前縁５３ａおよび後縁５３ｂを有する流線形状の翼型部材５３を用いてもよい。この翼型部材５３は、抽気流路３１のタービンロータ２２の軸方向の幅に対応した長さの柱体状の部材で構成されている。すなわち、翼型部材５３は、長さ方向に直交する断面が、図５に示すような流線形状断面を有する柱体状の部材で構成されている。翼型部材５３は、前縁５３ａが抽気流路３１側、後縁５３ｂが給水加熱器１５側となるように設置されている。この翼型部材５３は、例えば、抽気管１６またはケーシング２０を構成する材料と同様の材料などで構成される。
【００５２】
この翼型部材５３を備えた場合、通常運転時における、抽気流路３１から給水加熱器１５に向かう抽気された蒸気は、翼型部材５３の前縁５３ａ側から後縁５３ｂに沿って流れ、抽気管１６内に流入する。
【００５３】
一方、過渡的な流れである給水加熱器１５からの逆流する蒸気は、抽気管１６の内壁と翼型部材５３との間を通過して、抽気流路３１内に流入する。ここで、蒸気の流量が最大となるときの逆流する蒸気が、抽気管１６の内壁と翼型部材５３との間を通過するときには、流れがチョーキング状態となる。これによって、抽気管１６の内壁と翼型部材５３との間を通過する逆流する蒸気の流量の増加が抑制される。また、流れがチョーキング状態とならない場合であっても、翼型部材５３を備えることで、圧力損失が増加し、抽気流路３１内に流入する逆流する蒸気の流量の増加が抑制される。
【００５４】
抽気管１６の内壁と翼型部材５３との間を通過した逆流する蒸気は、上記したように蒸気の流量が抑制されるため、抽気流路３１における流速が減少し、補強リブ４０における流れの剥離が抑制される。これにより、補強リブ４０間の流れの偏流が抑制される。また、翼型部材５３によって、抽気流路３１に流入する逆流する蒸気が２つに分流されるため、特定の補強リブ４０に集中して蒸気が衝突することを回避できる。そのため、逆流する蒸気は、周方向に広げられた状態で抽気流路３１内に導かれる。
【００５５】
そして、逆流する蒸気は、抽気口３０から蒸気通路２４に流出する。この蒸気通路２４に流出する逆流する蒸気は、抽気流路３１において補強リブ４０間の流れの偏流が抑制されるため、周方向の速度分布が均一化されている。そのため、抽気口３０近傍に位置する静翼２３や動翼２１に作用する流体力の変動が抑制される。
【００５６】
このように、翼型部材５３を備えることで、給水加熱器１５から蒸気が逆流する際、抽気流路３１内に流入する逆流する蒸気の流量の増加を抑制することができる。特に、逆流する蒸気の流量が最大となるときにおける、抽気流路３１内に流入する逆流する蒸気の流量の増加を効果的に抑制することができる。
【００５７】
これによって、抽気流路３１における逆流する蒸気の流速が減少し、補強リブ４０における流れの剥離が抑制される。そのため、補強リブ４０間の流れの偏流が抑制され、抽気口３０から蒸気通路２４に流出する逆流する蒸気の周方向の速度分布を均一化することができる。その結果として、抽気口３０近傍に位置する静翼２３や動翼２１に作用する流体力の変動を抑制することができる。
【００５８】
（第２の実施の形態）
図６は、第２の実施の形態の低圧蒸気タービン１２における、タービンロータ２２の軸方向に沿う蒸気通路２４の断面の一部を示した図である。図７は、第２の実施の形態の低圧蒸気タービン１２のタービンロータ２２の軸方向に垂直な断面を示した図である。なお、図７では、蒸気通路の構成、すなわち、動翼２１、静翼２３、タービンロータ２２などの構成の図示を省略し、主として、ケーシング２０内における抽気された蒸気が流れる通路について示している。また、図７では、給水加熱器１５から抽気流路３１内に逆流した蒸気の流れを矢印で示している。また、第１の実施の形態の低圧蒸気タービン１２の構成と同一の構成部分には、同一の符号を付して重複する説明を省略または簡略する。
【００５９】
第２の実施の形態の低圧蒸気タービン１２において、第１の実施の形態の低圧蒸気タービン１２と同様に、図６に示すように、所定の段落間には、蒸気通路２４を流れる蒸気の一部を抽気するために、蒸気通路２４を構成する外周側の側壁となるケーシング２０の内壁に、周方向に亘ってスリット状の抽気口３０が設けられている。また、ケーシング２０の肉厚内には、この抽気口３０を介して抽気された、蒸気通路２４を流れる蒸気の一部を流動させるための抽気流路３１が形成されている。また、この抽気流路３１には、図７に示すように、抽気流路３１を周方向に複数の領域に区分するように、補強部材として機能する複数の補強リブ４０が設けられている。
【００６０】
また、図６に示すように、抽気流路３１は、抽気口３０からケーシング２０の肉厚内に延びる流路３１ａを備えている。この流路３１ａには、蒸気が流れる流路の断面積を減少させて蒸気の流れを絞る流路絞り部材５０が備えられている。この流路絞り部材５０は、流路３１ａの周方向に亘って所定の間隙をあけて設けられた２つのリング状部材６０ａ、６０ｂで構成されている。リング状部材６０ａは、流路３１ａの上流側の内側面に、リング状部材６０ｂは、流路３１ａの下流側の内側面に接するように備えられている。これらのリング状部材６０ａ、６０ｂは、例えば、ケーシング２０を構成する材料と同様の材料などで構成される。
【００６１】
なお、リング状部材６０ａ、６０ｂは、周方向に１または複数に分割された材料を組み合わせて構成されてもよい。具体的には、リング状部材６０ａ、６０ｂは、例えば、ケーシング２０の分割に対応して、分割可能に構成される。また、これらのリング状部材６０ａ、６０ｂは、例えば、ケーシング２０を構成する材料と同様の材料などで構成される。
【００６２】
次に、抽気流路３１における蒸気の流れについて説明する。
【００６３】
まず、通常運転時における抽気流路３１における蒸気の流れについて説明する。
低圧蒸気タービン１２の通常運転時には、抽気口３０における圧力は、給水加熱器１５内の圧力より高いため、蒸気通路２４から抽気流路３１、抽気管１６を介して給水加熱器１５に向かう蒸気の流れが生じる。すなわち、抽気口３０から蒸気通路２４を流れる蒸気の一部が抽気され、抽気流路３１、抽気管１６を介して給水加熱器１５に供給される。
【００６４】
一方、低圧蒸気タービン１２において、負荷遮断時などの、蒸気通路２４を流れる蒸気流量が低下するときには、段落での負荷が小さくなり、抽気口３０の圧力は復水器１３に近い負圧となる。そのため、抽気口３０の圧力が、給水加熱器１５内の圧力より低くなり、給水加熱器１５内の水が沸騰して蒸発する。そして、その蒸発した蒸気が抽気管１６を抽気流路３１に向かって逆流する。このように、給水加熱器１５から蒸気が逆流する際、この逆流は、過渡的な流れとなる。
【００６５】
この過渡的な流れである逆流する蒸気は、抽気管１６に設けられたリング状部材５１の中央の開口部を通過して抽気流路３１内に流入する。抽気流路３１内に流入した蒸気は、補強リブ４０の近傍で流れの剥離を生じる。
【００６６】
この流れの剥離を生じた逆流する蒸気は、流路３１ａに設けられた２つのリング状部材６０ａ、６０ｂ間、すなわち流路絞り部材５０を通過して、抽気流路３１内に流入する。この際、逆流する蒸気は、流路絞り部材５０で流路が絞られることで、周方向の速度分布が均一化される。そのため、抽気口３０近傍に位置する静翼２３や動翼２１に作用する流体力の変動が抑制される。
【００６７】
上記したように、第２の実施の形態の低圧蒸気タービン１２では、流路３１ａの抽気口３０の近傍に流路絞り部材５０を設けることで、給水加熱器１５から蒸気が逆流する際、抽気口３０から蒸気通路２４に流出する逆流する蒸気の周方向の速度分布を均一化することができる。これによって、抽気口３０近傍に位置する静翼２３や動翼２１に作用する流体力の変動を抑制することができる。
【００６８】
（第３の実施の形態）
図８は、第３の実施の形態の低圧蒸気タービン１２のタービンロータ２２の軸方向に垂直な断面を示した図である。なお、図８では、蒸気通路の構成、すなわち、動翼２１、静翼２３、タービンロータ２２などの構成の図示を省略し、主として、ケーシング２０内における抽気された蒸気が流れる通路について示している。また、図８では、給水加熱器１５から抽気流路３１内に逆流した蒸気の流れを矢印で示している。また、第１の実施の形態の低圧蒸気タービン１２の構成と同一の構成部分には、同一の符号を付して重複する説明を省略または簡略する。
【００６９】
図８に示すように、抽気流路３１には、抽気流路３１を周方向に複数の領域に区分するように、補強部材として機能する複数の補強リブ４０が設けられている。これらの補強リブ４０は、抽気流路３１の、タービンロータ２２の軸方向の幅に対応する長さを有する柱体状の部材で構成されている。そして、補強リブ４０の一方の側面４０ａは、抽気流路３１の内周面に、タービンロータ２２の軸方向に沿って接合されている。そのため、補強リブ４０の一方の側面４０ａと対向する他方の側面４０ｂ側は、抽気流路３１内に突出する。また、補強リブ４０の他方の側面４０ｂの端面は、曲面形状に形成されている。ここで、補強リブ４０の他方の側面４０ｂは、曲面形状に形成されていることが好ましいが、少なくとも他方の側面４０ｂの角部が削り落とされた形状、すなわち面取りされた形状であればよい。
【００７０】
このように、補強リブ４０を設けることで、抽気流路３１が周方向に複数に区分される。なお、補強リブ４０の他方の側面４０ｂと、抽気流路３１の外周面との間には、蒸気が流れるための隙間を有している。また、ここでは、最上部の補強リブ４０と抽気流路３１の外周面との間には、蒸気が流れるための隙間を設けていないが、隙間を設けるように構成してもよい。隙間を設けた場合には、最上部の補強リブ４０の他方の端面も、曲面形状に形成される。
【００７１】
次に、抽気流路３１における逆流する蒸気の流れについて説明する。
【００７２】
低圧蒸気タービン１２において、負荷遮断時などの、蒸気通路２４を流れる蒸気流量が低下するときには、段落での負荷が小さくなり、抽気口３０の圧力は復水器１３に近い負圧となる。そのため、抽気口３０の圧力が、給水加熱器１５内の圧力より低くなり、給水加熱器１５内の水が沸騰して蒸発する。そして、その蒸発した蒸気が抽気管１６を抽気流路３１に向かって逆流する。このように、給水加熱器１５から蒸気が逆流する際、この逆流は、過渡的な流れとなる。
【００７３】
この逆流する蒸気は、抽気管１６を介して抽気流路３１内に流入する。抽気流路３１内に流入した逆流する蒸気は、例えば、補強リブ４０の他方の端面に沿って流れ、補強リブ４０で区分された領域内に流入する。そして、逆流する蒸気は、抽気口３０から蒸気通路２４に流出する。
【００７４】
ここで、逆流する蒸気が補強リブ４０の他方の端面に沿って流れる際、他方の端面が曲面で形成されているので、流れの剥離が抑制される。そのため、補強リブ４０間の流れの偏流が抑制される。これによって、抽気口３０から蒸気通路２４に流出する逆流する蒸気の周方向の速度分布を均一化することができ、抽気口３０近傍に位置する静翼２３や動翼２１に作用する流体力の変動が抑制される。
【００７５】
上記したように、第３の実施の形態の低圧蒸気タービン１２では、補強リブ４０の他方の側面４０ｂを曲面形状に形成することで、補強リブ４０における流れの剥離が抑制される。そのため、補強リブ４０間の流れの偏流が抑制され、抽気口３０から蒸気通路２４に流出する逆流する蒸気の周方向の速度分布を均一化することができる。その結果として、抽気口３０近傍に位置する静翼２３や動翼２１に作用する流体力の変動を抑制することができる。
【００７６】
（第４の実施の形態）
図９は、第４の実施の形態の低圧蒸気タービン１２のタービンロータ２２の軸方向に垂直な断面を示した図である。なお、図９では、蒸気通路の構成、すなわち、動翼２１、静翼２３、タービンロータ２２などの構成の図示を省略し、主として、ケーシング２０内における抽気された蒸気が流れる通路について示している。また、図９では、給水加熱器１５から抽気流路３１内に逆流した蒸気の流れを矢印で示している。また、第１の実施の形態の低圧蒸気タービン１２の構成と同一の構成部分には、同一の符号を付して重複する説明を省略または簡略する。
【００７７】
図９に示すように、抽気流路３１には、抽気流路３１を周方向に複数の領域に区分するように、補強部材として機能する複数の補強リブ４０が設けられている。これらの補強リブ４０は、抽気流路３１の、タービンロータ２２の軸方向の幅に対応する長さを有する柱体状の部材で構成されている。そして、補強リブ４０の一方の側面４０ａは、曲面形状に形成され、抽気流路３１の内周面に、タービンロータ２２の軸方向に沿って接合されている。そのため、補強リブ４０の一方の側面４０ａと対向する他方の側面４０ｂ側は、抽気流路３１内に突出する。ここで、補強リブ４０の一方の側面４０ａは、曲面形状に形成されていることが好ましいが、少なくとも一方の側面４０ａの角部が削り落とされた形状、すなわち面取りされた形状であればよい。
【００７８】
このように、補強リブ４０を設けることで、抽気流路３１が周方向に複数に区分される。なお、補強リブ４０の他方の側面４０ｂと、抽気流路３１の外周面との間には、蒸気が流れるための隙間を有している。また、ここでは、最上部の補強リブ４０と抽気流路３１の外周面との間には、蒸気が流れるための隙間を設けていないが、隙間を設けるように構成してもよい。
【００７９】
次に、抽気流路３１における逆流する蒸気の流れについて説明する。
【００８０】
低圧蒸気タービン１２において、負荷遮断時などの、蒸気通路２４を流れる蒸気流量が低下するときには、段落での負荷が小さくなり、抽気口３０の圧力は復水器１３に近い負圧となる。そのため、抽気口３０の圧力が、給水加熱器１５内の圧力より低くなり、給水加熱器１５内の水が沸騰して蒸発する。そして、その蒸発した蒸気が抽気管１６を抽気流路３１に向かって逆流する。このように、給水加熱器１５から蒸気が逆流する際、この逆流は、過渡的な流れとなる。
【００８１】
この逆流する蒸気は、抽気管１６を介して抽気流路３１内に流入する。抽気流路３１内に流入した逆流する蒸気は、例えば、補強リブ４０の他方の側面４０ｂに沿って流れ、補強リブ４０で区分された領域内に流入する。そして、逆流する蒸気は、抽気口３０から蒸気通路２４に流出する。
【００８２】
ここで、補強リブ４０の一方の側面４０ａが曲面形状に形成されているため、一方の側面４０ａよりも蒸気通路２４側に、一方の側面４０ａの形状が原因で生じる淀み領域の形成が抑制される。そのため、逆流する蒸気が補強リブ４０の他方の端面に沿って流れる際、流れの剥離を生じ、偏流を形成するときであっても、偏流を緩和し、抽気口３０から蒸気通路２４に流出する逆流する蒸気の周方向の速度分布を均一化することができる。これによって、抽気口３０近傍に位置する静翼２３や動翼２１に作用する流体力の変動が抑制される。
【００８３】
上記したように、第４の実施の形態の低圧蒸気タービン１２では、補強リブ４０の一方の側面４０ａを曲面形状に形成することで、一方の側面４０ａよりも蒸気通路２４側に形成される淀み領域を抑制することができる。そのため、補強リブ４０間で偏流が形成されるときであっても、偏流を緩和し、抽気口３０から蒸気通路２４に流出する逆流する蒸気の周方向の速度分布を均一化することができる。その結果として、抽気口３０近傍に位置する静翼２３や動翼２１に作用する流体力の変動を抑制することができる。
【００８４】
ここで、第４の実施の形態における補強リブ４０の構成に、第３の実施の形態における補強リブ４０の構成を加え、補強リブ４０の一方の側面４０ａおよび他方の側面４０ｂの双方を曲面形状に形成してもよい。
【００８５】
図１０は、一方の側面４０ａおよび他方の側面４０ｂの双方を曲面形状に形成された補強リブ４０を備える、第４の実施の形態の低圧蒸気タービン１２のタービンロータ２２の軸方向に垂直な断面を示した図である。
【００８６】
図１０に示すように、補強リブ４０を円柱で構成してもよい。このように、一方の側面４０ａおよび他方の側面４０ｂの双方を曲面形状に形成された補強リブ４０を用いることで、上記した第３の実施の形態および第４の実施の形態の低圧蒸気タービン１２の作用効果を得ることができる。
【００８７】
（他の実施の形態）
なお、上記した各実施の形態において、抽気流路３１を周方向に備えられる補強リブ４０の数は特に限定されていないが、補強リブ４０の数を８個以下とすることが好ましい。
図１１は、図１０に示した第４の実施の形態の低圧蒸気タービン１２において、補強リブ４０の数を８個としたときの、タービンロータ２２の軸方向に垂直な断面を示した図である。
【００８８】
ここで、１つの補強リブ４０間に形成される偏流の速度分布において、１つのピーク値を有する。補強リブ４０の数を８個以下とした場合、このピーク値は、周方向の流速分布のピーク数は８個以下となる。
【００８９】
これによって、８次より高次モードの振動応力が過大となる可能性を低減することができる。さらに、補強リブ４０の数を削減することで、通常運転時における抽気蒸気の抽気流路３１内における圧力損失を抑制することができる。
【００９０】
また、上記した各実施の形態では、補強リブ４０は、抽気流路３１の内周面に、タービンロータ２２の半径方向に放射状に配置された一例を示したが、この配置構成に限られるものではない。図１２は、補強リブ４０の他の配置構成を有する他の実施の形態の低圧蒸気タービン１２のタービンロータ２２の軸方向に垂直な断面を示した図である。
【００９１】
図１２に示すように、補強リブ４０の他方の側面４０ｂ側が、抽気流路３１と抽気管１６における流路との境界部の方向に傾くように、補強リブ４０を傾斜させて配置してもよい。なお、図１２では、補強リブ４０をそのまま傾斜させて設置した一例を示しているが、例えば、補強リブ４０自体を湾曲した形状に構成し、補強リブ４０の他方の側面４０ｂ側が、抽気流路３１と抽気管１６における流路との境界部の方向に傾くように構成してもよい。
【００９２】
このように、補強リブ４０の他方の側面４０ｂ側が、抽気流路３１と抽気管１６における流路との境界部の方向に傾くように補強リブ４０を傾けて配置することで、例えば、通常運転時における抽気蒸気の補強リブ４０の近傍における剥離を抑制することができる。
【００９３】
また、給水加熱器１５から蒸気が逆流する際においても、逆流する蒸気の補強リブ４０の近傍における剥離を抑制することができる。そのため、補強リブ４０間の流れの偏流が抑制され、抽気口３０から蒸気通路２４に流出する逆流する蒸気の周方向の速度分布を均一化することができる。その結果として、抽気口３０近傍に位置する静翼２３や動翼２１に作用する流体力の変動を抑制することができる。
【００９４】
また、上記した第１の実施の形態および２の実施の形態における構成に、第３の実施の形態、第４の実施の形態、他の実施の形態における補強リブ４０の構成を加えてもよい。
【００９５】
以上、本発明を一実施の形態により具体的に説明したが、本発明はこれらの実施の形態にのみ限定されるものではなく、その要旨を逸脱しない範囲で種々変更可能である。
【符号の説明】
【００９６】
１…蒸気タービンシステム、１０…蒸気発生部、１１…高圧蒸気タービン、１２…低圧蒸気タービン、１３…復水器、１４…復水ポンプ、１５…給水加熱器、１６…抽気管、１７…発電機、２０…ケーシング、２１…動翼、２２…タービンロータ、２３…静翼、２４…蒸気通路、２５…ダイヤフラム、２６…シール部、３０…抽気口、３１…抽気流路、３１ａ…流路、４０…補強リブ、４０ａ、４０ｂ…側面、５０…流路絞り部材、５１、５１ａ、５２、６０ａ、６０ｂ…リング状部材、５２ａ…流路縮流部、５２ｂ…ディフューザ部、５３…翼型部材、５３ａ…前縁、５３ｂ…後縁。
【図１】
2011001894.tif 000003
【図２】
2011001894.tif 000004
【図３】
2011001894.tif 000005
【図４】
2011001894.tif 000006
【図５】
2011001894.tif 000007
【図６】
2011001894.tif 000008
【図７】
2011001894.tif 000009
【図８】
2011001894.tif 000010
【図９】
2011001894.tif 000011
【図１０】
2011001894.tif 000012
【図１１】
2011001894.tif 000013
【図１２】
2011001894.tif 000014
【図１３】
2011001894.tif 000015
【図１４】
2011001894.tif 000016
【図１５】
2011001894.tif 000017